(57)【特許請求の範囲】
【請求項１】
複数の画素を有する表示部と、
光学装置とを備え、
前記光学装置は、
第１の基板、第２の基板、および前記第１の基板と前記第２の基板との間に、所定の間隔を確保するための複数の構造物を備え、
前記画素は、第１の方向に並ぶ複数の異なる色のサブ画素から構成され、
前記複数の構造物は、前記第１の方向に等間隔に並べられ、
前記第１の方向に隣接する前記構造物同士の間隔は、前記画素の配置される間隔の整数倍とは異なり、
前記光学装置は、開口部および遮閉部を備え、
前記第１の方向に隣接する前記構造物同士の間隔は、前記開口部に対応する位置に配置された前記第１の方向に隣接する前記構造物同士の間隔である
表示装置。
【請求項２】
複数の画素を有する表示部と、
光学装置とを備え、
前記光学装置は、
第１の基板、第２の基板、および前記第１の基板と前記第２の基板との間に、所定の間隔を確保するための複数の構造物を備え、
前記画素は、第１の方向に並ぶ複数の異なる色のサブ画素から構成され、
前記第１の方向に隣接する前記構造物同士の間隔は、第１の間隔と、第２の間隔と、を有し、
前記第１の間隔は、前記画素の配置される間隔の整数倍であり、
前記第２の間隔は、前記画素の配置される間隔の整数倍とは異なり、且つ前記第１の間隔に対して前記サブ画素の前記第１の方向における大きさだけ異なる
表示装置。
【請求項３】
前記光学装置は、開口部および遮閉部を備え、
前記第１の方向に隣接する前記構造物同士の間隔は、前記開口部に対応する位置に配置された前記第１の方向に隣接する前記構造物同士の間隔である
請求項２に記載の表示装置。
【請求項４】
前記光学装置は、視差バリアである
請求項１または３に記載の表示装置。
【請求項５】
前記構造物は、前記表示部のブラックマトリックスに対応する位置に作成されている
請求項１または２に記載の表示装置。
【請求項６】
上下方向または左右方向の少なくとも一方向において、前記構造物は、異なる色の前記サブ画素の近傍に分散されて配置されている
請求項１または２に記載の表示装置。
【請求項７】
上下方向または左右方向に隣り合う構造物は、隣り合う方向において、ずらされて配置されている
請求項１または２に記載の表示装置。
【請求項８】
上下方向または左右方向に隣り合う構造物は、隣り合う方向において、所定のサブ画素数分だけ離れた位置に配置されている
請求項１または２に記載の表示装置。
【請求項９】
上下方向または左右方向に隣り合う構造物は、隣り合う方向において、前記画素同士の間隔を基準とした所定の倍数分だけ離れた位置に配置されている
請求項１または２に記載の表示装置。
【請求項１０】
前記構造物は、前記表示部からの光線の通過状態を選択的に変化させるレンズ部の中央部分に配置されている
請求項１または２に記載の表示装置。
【請求項１１】
隣り合う前記構造物が配置されている位置が異なる色のサブ画素になるように、前記サブ画素が配置されている
請求項１または２に記載の表示装置。
【請求項１２】
複数の画素を有する表示部と、
光学装置とを備え、
前記光学装置は、
第１の基板、第２の基板、および前記第１の基板と前記第２の基板との間に、所定の間隔を確保するための複数の構造物を備え、
前記画素は、第１の方向に並ぶ複数の異なる色のサブ画素から構成され、
前記複数の構造物は、前記第１の方向に等間隔に並べられ、
前記第１の方向に隣接する前記構造物同士の間隔は、前記画素の配置される間隔の整数倍とは異なり、
前記光学装置は、開口部および遮閉部を備え、
前記第１の方向に隣接する前記構造物同士の間隔は、前記開口部に対応する位置に配置された前記第１の方向に隣接する前記構造物同士の間隔である
電子装置。
【請求項１３】
複数の画素を有する表示部と、
光学装置とを備え、
前記光学装置は、
第１の基板、第２の基板、および前記第１の基板と前記第２の基板との間に、所定の間隔を確保するための複数の構造物を備え、
前記画素は、第１の方向に並ぶ複数の異なる色のサブ画素から構成され、
前記第１の方向に隣接する前記構造物同士の間隔は、第１の間隔と、第２の間隔と、を有し、
前記第１の間隔は、前記画素の配置される間隔の整数倍であり、
前記第２の間隔は、前記画素の配置される間隔の整数倍とは異なり、且つ前記第１の間隔に対して前記サブ画素の前記第１の方向における大きさだけ異なる
電子装置。
【発明の詳細な説明】
【技術分野】
【０００１】
本技術は、表示装置、電子装置に関する。詳しくは、２次元画像と３次元画像を切り換えて供給することができ、色づきなどの画質劣化を伴わない表示装置、電子装置に関する。
【背景技術】
【０００２】
液晶表示装置は薄型にできることから色々な分野に用途が広がっている。液晶表示装置では画素電極および薄膜トランジスタ（ＴＦＴ）等がマトリクス状に形成されたＴＦＴ基板に、画素電極と対応する場所にカラーフィルタ等が形成されたカラーフィルタ基板が対向し、ＴＦＴ基板とカラーフィルタ基板の間に液晶が挟持されている。そして液晶材料による光の透過率を画素毎に制御することによって画像を形成している。
【０００３】
ＴＦＴ基板には、縦方向に延在し、横方向に配列したデータ線と、横方向に延在して縦方向に配列した走査線とが存在し、データ線と走査線とで囲まれた領域に画素が形成される。画素は主として画素電極とスイッチング素子である薄膜トランジスタ（ＴＦＴ）から構成される。このようにマトリクス状に形成された多くの画素によって表示領域が形成される。
【０００４】
液晶材料の特性を利用して液晶層がレンズの役割をする液晶レンズも提案されている(例えば、特許文献１乃至３参照)。すなわち、レンズは、レンズを構成する物質と空気との屈折率の差を利用して入射光の経路を位置別に制御することであるが、液晶層に位置別に相互に異なる電圧を印加して、位置別に相互に異なる電場によって液晶層が駆動されるようにすると、液晶層に入射する入射光は、位置別に相互に異なる位相変化を有して、その結果、液晶層はレンズのように、入射光の経路が制御できるようになる。
【０００５】
このような液晶レンズを、上記した液晶が挟持されている表示領域上に配置することで、専用メガネを必要としない立体視の実現が提案されている。
【０００６】
また、液晶レンズなどの液晶層を有する光学装置や表示装置においては、液晶層のギャップを維持するために、シリカゲルや樹脂からなるスペーサが用いられる。（例えば、特許文献４参照）
【先行技術文献】
【特許文献】
【０００７】
【特許文献１】特開２００８−９３７０号公報
【特許文献２】特開２００７−２２６２３１号公報
【特許文献３】特開２００８−８３３６６号公報
【特許文献４】特開２０１１−１５４１９７号公報
【発明の概要】
【発明が解決しようとする課題】
【０００８】
上記したように、裸眼の立体表示装置は、表示装置上に光学素子が積層されることで構成されている。また、表示装置や光学素子に液晶が用いられる場合、その液晶層の厚さを制御するために、スペーサが設けられている。
【０００９】
しかしながら、液晶レンズなどに必要とされる液晶層の厚みは、一般に２０um以上の厚みが必要とされるため、スペーサとして散布スペーサを用いると、クロストークや２次元画像での表示特性に影響するといったことがあった。また、リソグラフィーによりスペーサの位置を制御し、柱状のスペーサを用いる場合、表示装置の画素と光学素子のスペーサとの位置関係により、表示が色づいてしまい、画質が劣化してしまうことがあった。
【００１０】
本技術は、このような状況に鑑みてなされたものであり、光学素子のスペーサの位置を画質の劣化を伴わない位置にすることができるようにするものである。
【課題を解決するための手段】
【００１１】
本技術の一側面の複数の画素を有する表示部と、光学装置とを備え、前記光学装置は、第１の基板、第２の基板、および前記第１の基板と前記第２の基板との間に、所定の間隔を確保するための構造物を備え、前記画素は、第１の方向に並ぶサ複数の異なる色のサブ画素から構成され、前記第１の方向における前記構造物が配置される間隔は、前記画素の配置される間隔とは異なる。
【００１２】
前記構造物は、前記表示部のブラックマトリックスに対応する位置に作成されているようにすることができる。
【００１３】
上下方向または左右方向の少なくとも一方向において、前記構造物は、異なる色の前記サブ画素の近傍に分散されて配置されているようにすることができる。
【００１４】
上下方向または左右方向に隣り合う構造物は、隣り合う方向において、ずらされて配置されているようにすることができる。
【００１５】
上下方向または左右方向に隣り合う構造物は、隣り合う方向において、所定のサブ画素数分だけ離れた位置に配置されているようにすることができる。
【００１６】
上下方向または左右方向に隣り合う構造物は、隣り合う方向において、前記画素同士の間隔を基準とした所定の倍数分だけ離れた位置に配置されているようにすることができる。
【００１７】
上下方向または左右方向に隣り合う構造物は、隣り合う方向において、前記画素同士の間隔を基準とし、発生される乱数分だけ離れた位置に配置されているようにすることができる。
【００１８】
前記構造物は、前記表示部からの光線の通過状態を選択的に変化させるレンズ部の中央部分に配置されているようにすることができる。
【００１９】
隣り合う前記構造物が配置されている位置が異なる色のサブ画素になるように、前記サブ画素が配置されているようにすることができる。
【００２０】
本技術の一側面の電子装置は、複数の画素を有する表示部と、光学装置とを備え、前記光学装置は、第１の基板、第２の基板、および前記第１の基板と前記第２の基板との間に、所定の間隔を確保するための構造物を備え、前記画素は、第１の方向に並ぶサ複数の異なる色のサブ画素から構成され、前記第１の方向における前記構造物が配置される間隔は、前記画素の配置される間隔とは異なる。
【００２１】
本技術の一側面の表示装置、電子装置においては、複数の画素を有する表示部と、光学装置とから構成される。光学装置は、第１の基板、第２の基板、および第１の基板と第２の基板との間に、所定の間隔を確保するための構造物を備え、画素は、第１の方向に並ぶサ複数の異なる色のサブ画素から構成され、第１の方向における構造物が配置される間隔は、画素の配置される間隔とは異なる構成とされている。
【発明の効果】
【００２２】
本技術の一側面によれば、光学素子のスペーサを画質が劣化しない位置に設置することができる。
【図面の簡単な説明】
【００２３】
【図１】液晶レンズパネルを含む表示装置の構成を示す図である。
【図２】液晶レンズパネルの構成を示す図である。
【図３】スペーサによる影響について説明するための図である。
【図４】画素とスペーサの配置について説明するための図である。
【図５】画素とスペーサの配置について説明するための図である。
【図６】画素とスペーサの配置について説明するための図である。
【図７】画素とスペーサの配置について説明するための図である。
【図８】画素とスペーサの配置について説明するための図である。
【図９】画素とスペーサの配置について説明するための図である。
【図１０】画素とスペーサの配置について説明するための図である。
【図１１】画素とスペーサの配置について説明するための図である。
【図１２】画素とスペーサの配置について説明するための図である。
【図１３】画素とスペーサの配置について説明するための図である。
【図１４】表示装置について説明するための図である。
【発明を実施するための形態】
【００２４】
以下に、本技術の実施の形態について図面を参照して説明する。
【００２５】
［液晶レンズの構成について］
以下に説明する本技術は、液晶レンズに適用することができるため、ここでは液晶レンズを例にあげ、本技術について説明する。まず、液晶レンズについて説明を加える。液晶レンズは、例えば、専用メガネを必要としないで、観察者の左右の眼に視差を生じさせた視差画像を見せることにより立体視を実現する際に用いられる。
【００２６】
専用メガネを必要としない方法は、テレビジョン受像機の他、例えば、スマートフォン、携帯電話機、携帯ゲーム機、ネットブックコンピュータなどのように、携帯可能な電子機器のディスプレイに適用されることが想定される。
【００２７】
専用メガネを必要としない方法の具体的な実現方法としては、液晶ディスプレイなどの２次元表示装置の画面上に、２次元表示装置からの表示画像光を複数の視野角方向に偏向させる３次元表示用の光学デバイスとを組み合わせたものがある。
【００２８】
液晶レンズによる切り替え式のレンズアレイ素子が知られている。この液晶レンズアレイ素子は、レンズ効果の有無を電気的に切り替えることができる。したがって、２次元表示装置の画面上に液晶レンズアレイ素子を設けることにより、レンズ効果無しの状態による２次元表示モードと、レンズ効果有りの状態による３次元表示モードの２つの表示モードを切り替えることができる。
【００２９】
このような液晶レンズを、液晶ディスプレイ上に配置したときの概略図を、図１に示す。液晶レンズパネル１１は、光学弾性体１２を介して、ＬＣＤ（Liquid Crystal Display）１３上に積層される。ここでは、ＬＣＤを表示装置の例としてあげ説明を続けるが、有機ＥＬ（Electro−Luminescence）パネルなどの表示装置を用いることも可能である。
【００３０】
ＬＣＤ１３の詳細な構成は図示しないが、油状の透明な液晶組成物（液晶材料）が、２枚の透明な基板に挟まれ、周囲がシール材によってシールされ、液晶材料が漏れ出すことがないように構成されている。２枚の基板は、表側にカラーフィルタ基板（対向基板１４）、裏側にアレイ基板１５が配置される。アレイ基板１５は、液晶側にTFTなどのアクティブ素子とサブ画素となる電極がアレイ（配列）状に作り込まれている。
【００３１】
ＬＣＤ１３には、液晶を封入した表裏の透明基板のさらに外側に、１組の偏光板（偏光フィルタ）１６が設けられている。透過型のＬＣＤ１３の場合、図示していない裏側の光源（バックライト）から出た光は、
光源→偏光板１６→アレイ基板１５→サブ画素の透明電極→配向膜→液晶→配向膜→共通透明電極→対向基板１４（カラーフィルタ基板）→偏光板１６
という順に各要素を通過する。
【００３２】
このような構成を有するＬＣＤ１３上に、さらに光学弾性体１２を介して、液晶レンズパネル１１が積層されているために、偏光板１６から光学弾性体１２を介して、液晶レンズパネル１１に光が到達する。そして、液晶レンズパネル１１を通過した光が、観測者の目に届くように構成されている。このような構成を有する液晶レンズパネル１１を含む表示装置は、裸眼３Ｄなどに用いられる。
【００３３】
図１では、液晶レンズパネル１１を、ＬＣＤ１３の上側（観測者側）に配置したが、ＬＣＤ１３の下側（観測者側から対向する側）に配置することも可能である。ＬＣＤ１３の下側に液晶レンズパネル１１を配置した場合、表示装置の視野角制御や配線などの遮光部の光を集めて高輝度パネルにしたりすることができる。
【００３４】
［液晶レンズパネル１１の構成例］
図２は、液晶レンズパネル１１の断面図を示している。液晶レンズパネル１１は、画面上の各領域のレンズ効果をその表示モードに応じて制御することにより、ＬＣＤ１３からの光線の通過状態を選択的に変化させる。図２に示す液晶レンズパネル１１の構成は一例であり、構成や材料などは、適宜変更可能である。
【００３５】
液晶レンズパネル１１は、間隔ｄを空けて互いに対向配置された第１の基板２４および第２の基板２７、並びにそれらの間に配置された液晶層２１を備えている。配向膜２５，２８上には、第１の基板２４と第２の基板２７との間隔ｄを一様に保つために、ガラス材料または樹脂材料からなるスペーサ２２が配置されている。第１の基板２４および第２の基板２７も、例えば、ガラス材料または樹脂材料などより成る透明基板である。
【００３６】
液晶層２１内にスペーサ２２を設けるようにした場合、上記したように、ガラス材料または樹脂材料からなるスペーサ２２を散布（散布スペーサ）することが可能である。また、スペーサ２２と同じく、壁状や柱状で構成し、フォトスペーサとして構成することも可能である。しかしながら、本実施の形態においては、以下に説明するように、柱状のスペーサを用いる場合を例に挙げて説明する。
【００３７】
第１の基板２４上における第２の基板２７に対向する側には、第１の方向（同図のＸ軸方向）に延在する複数の透明電極が幅方向（同図のＹ軸方向）に間隔を空けて並列配置された第１の電極群２６が形成されている。第１の基板２４上にはまた、第１の電極群２６を介して配向膜２５が形成されている。
【００３８】
同様に、第２の基板２７上における第１の基板２４に対向する側には、第１の方向とは異なる第２の方向（同図のＹ軸方向）に延在する複数の透明電極が幅方向（同図のＸ軸方向）に間隔を空けて並列配置されてなる第２の電極群２９が形成されている。第２の基板２７上にはまた、第２の電極群２９を介して配向膜２８が形成されている。
【００３９】
液晶層２１は、液晶材料２３を含み、第１の電極群２６と第２の電極群２９とに印加される電圧に応じて液晶材料２３の配列方向が変化することでレンズ効果が制御されるようになされている。液晶材料２３は、屈折率異方性を有し、例えば長手方向と短手方向とで通過光線に対して屈折率の異なる屈折率楕円体の構造を有している。
【００４０】
なおここでは、第１の電極群２６と第２の電極群２９の両方がパターンニングされる例を例示したが、第１の電極群２６と第２の電極群２９のどちらか一方のみがパターンニングされる構成とすることも可能である。
【００４１】
例えば、レンズの縦横切り換えなどの手法を用いたり、他の用途を用いたりした場合、電極の片方はパターンニングしない（有効画素部）、ＩＴＯ（Indium Tin Oxide）などの透明電極のベタ電極として構成することが可能である。
【００４２】
例えば、縦のみ、または横のみなど１方向のときも、電界のかけ方で制御できるため、パターニングしてもしなくても良い。縦横方向の切り換えの場合、９０度回った方向に電界が必要となるため、９０度回った方向に電極パターンが設置され、間隔ｄを挟んで電極が９０度回ったように配置されるなど、両方のパターニングが必要となる。
【００４３】
このように構成した場合、ベタ電極側が、静電気などの関係から観測者側に配置される。もう片方の電極群に、ＩＴＯなどの透明電極がパターンニングされる。例えば、所定の一定方向でラインとスペースを繰り返す構造のパターンニングとされる。このようなストライプ構造の場合、電極間の電界で屈折率分布ができ、レンズとして機能させることが可能となり、レンズの断面方向Ｘに対して垂直方向ｙに電極が伸びた構造とされる。本技術は、このような構造の液晶レンズパネル１１に対しても適用できる。
【００４４】
［スペーサの高さについて］
液晶レンズパネル１１とＬＣＤ１３は、共に、液晶材料２３を１組の基板で挟む構成とされている点で共通している。ＬＣＤ１３の基板間の距離（セルギャップ）は、２〜４μｍ程度である。液晶レンズパネル１１のセルギャップは、１０μｍ以上の大きなセルギャップが必要である。このようなセルギャップを得るために、液晶レンズパネル１１やＬＣＤ１３には、スペーサが設けられる。ＬＣＤ１３内に設けられるスペーサについては、図示していないが、液晶レンズパネル１１内に設けられるスペーサについては、図２にスペーサ２２として図示してある。ここでは、このスペーサ２２を例にあげて説明を続ける。
【００４５】
図２に示したスペーサ２２は、例えば、柱状のスペーサ２２である。ここで、仮に、散布スペーサを用いた場合を考える。散布スペーサは、側面から見たとき円形であるが、立体的に見たときには球形に構成されている。スペーサ２２が球形の場合、縦の長さや横の長さは直径になり、縦横の長さの比率は同一となる。
【００４６】
散布スペーサにより大きなセルギャップを得るためには、スペーサの縦の長さを大きくする必要があるため、球状のスペーサの直径を大きくする必要がある。よって結果としてスペーサが大きくなってしまう。このような大きなスペーサを散布すると、スペーサ２２の影響により、液晶レンズパネル１１の特性が劣化してしまう可能性がある。液晶レンズの特性が劣化することで、立体表装置に液晶レンズを適用した場合、クロストークなどに影響を及ぼす可能性が高くなる。
【００４７】
また、球状のスペーサ２２が用いられると、球状の上下の一部分のみが基板に接する状態で、セルギャップが確保される。この場合、接地面積が少なく、セルの強度が出しづらくなる可能性がある。また散布によりスペーサを配置するため、スペーサの配置をコントロールすることは困難であり、均等に配置することは困難であった。均等にスペーサが配置されないことにより、光学特性が劣化する可能性がある。
【００４８】
なおここでは、“均等にスペーサが配置されないと光学特性が劣化する”との記載をするが、均等にスペーサが配置されないことが直接的な原因で光学特性が劣化するのではなく、以下の理由から光学特性が劣化する。また、本明細書において、“均等にスペーサが配置される”とは、スペーサ２２の配置する位置を制御できることを意味し、配置の位置を制御することができることで、均等にスペーサ２２を配置でき、また、均等でなくとも、光学特性が劣化することがない位置にスペーサ２２を配置できることを意味する。
【００４９】
スペーサ２２がある部分（スペーサ２２の周り）は、配向が乱れる傾向にある。また、スペーサ２２は、レンズとして機能しないため、レンズとして機能しない部分が、レンズ内に含まれることになる。よって、スペーサ２２がある部分は、レンズとしての光学特性が落ちることになる。
【００５０】
例えば、スペーサ２２が一部分に集中すると、そのような部分はレンズとして光学特性が劣化する可能性が高い。逆にスペーサ２２がない部分は、光学特性が劣化しない。光学特性が劣化する部分と光学特性が劣化しない部分とが、極端に偏って存在しているような場合、レンズ全体として、レンズとしての機能の劣化につながる。よって、光学特性が劣化している部分を散らす意味では、スペーサ２２が局在化しない方が好まし。
【００５１】
よってここでは、スペーサ２２が局在化しないために、スペーサ２２の配置の位置を制御し、その結果、均等に配置されるとして説明を続ける。また、スペーサ２２が配置される位置は、後述するように、レンズの中央部分が好ましく、そのような位置にスペーサ２２が配置されるように制御が行われる。
【００５２】
このようなことから、スペーサ２２の配置の位置を制御するのが困難であり、また比較的スペーサ自体が大きくなってしまう散布スペーサにより、より大きなセルギャップを確保するのは困難であった。そこで、スペーサ２２を柱状にすることが考えられる。柱状としては、四角柱などの多角形の柱状や円柱が適用できる。
【００５３】
ここでは円柱のスペーサ２２である場合を例に挙げて説明を続ける。円柱でスペーサ２２を作成したとき、その高さは、図２に示したように高さｄとなる。また、その直径は、例えば直径Ｌとされている。
【００５４】
このようなスペーサ２２が、液晶レンズパネル１１に設けられていた場合、このスペーサ２２により、ＬＣＤ１３からの光が、観察者に適切に届かないことがある。このことについて、図３を参照して説明する。図３は、図１や図２に示した場合と同じく、液晶レンズパネル１１やＬＣＤ１３を側面から見た図である。
【００５５】
本実施の形態のＬＣＤ１３は、Ｒ（赤）、Ｇ（緑）、Ｂ（青）の各色光を出力する３個のサブ画素で１個の画素を構成する表示装置に適用できる。ここで、表示を構成する最小単位となる表示領域を「サブ画素」、一組（Ｒ、Ｇ、Ｂ）のサブ画素から構成される表示領域を「画素」と称する。
【００５６】
なお、ここでは、Ｒ（赤）、Ｇ（緑）、Ｂ（青）の３個のサブ画素で１画素が構成される場合を例に上げて説明を続けるが、これ以外の構成で１画素が構成されるＬＣＤ１３に対しても本技術は適用できる。例えば、Ｒ（赤）、Ｇ（緑）、Ｂ（青）、Ｗ（白）の４色で１画素が構成されている場合、Ｒ（赤）、Ｇ（緑）、Ｂ（青）、Ｙ（黄）の４色で１画素が構成されている場合、Ｃ（シアン）、Ｍ（マゼンタ）、Ｙ（イエロー）の３色で１画素が構成されている場合などにも本技術を適応することができる。
【００５７】
ＬＣＤ１３の表示領域に複数のサブ画素Ｒ，Ｇ、Ｂがマトリクス状に配置されている。図３および以下の説明に用いる図において、Ｒとの記載は、サブ画素Ｒを表し、Ｇとの記載は、サブ画素Ｇを表し、Ｂとの記載は、サブ画素Ｂを表すとする。また、サブ画素Ｒとの表記は、赤色のサブ画素を表し、サブ画素Ｇとの表記は、緑色のサブ画素を表し、サブ画素Ｂとの表記は、青色のサブ画素を表す。
【００５８】
ＬＣＤ１３に画素が配置されているが、その一部を図３に示した。図３には、Ｘ軸方向に配置されたサブ画素５５―１乃至５５―８の８個の画素を例示している。サブ画素５５−１は、サブ画素Ｂであり、サブ画素５５−２は、サブ画素Ｒであり、サブ画素５５−３は、サブ画素Ｇであり、サブ画素５５−４は、サブ画素Ｂである。
【００５９】
またサブ画素５５−５は、サブ画素Ｒであり、サブ画素５５−６は、サブ画素Ｇであり、サブ画素５５−７は、サブ画素Ｂであり、サブ画素５５−８は、サブ画素Ｒである。このように配置されているサブ画素５５−２のサブ画素Ｒ上に液晶レンズパネル１１のスペーサ２２−１が配置され、サブ画素５５−８のサブ画素Ｒ上にスペーサ２２−２が配置されている。
【００６０】
なお、ＬＣＤ１３にも液晶層があり、スペーサが配置されているが、以下の説明においては、ＬＣＤ１３のスペーサは図示せず、液晶レンズパネル１１のスペーサ２２のみを図示する。すなわち以下の説明において参照する図面においては、スペーサは液晶レンズパネル１１のスペーサであり、ＬＣＤ１３のスペーサではない。また、例えば、後述する図４Ａなどにおいては、画素とスペーサを同一図面で示すが、画素はＬＣＤ１３に設けられており、スペーサは液晶レンズパネル１１に設けられている。
【００６１】
観察者が、図３に示す位置から、ＬＣＤ１３に設けられた画素を見たと想定する。このとき、観察者は、液晶レンズパネル１１のスペーサ２２−１を介して、サブ画素５５−１のサブ画素Ｒを観察する。また、観察者は、液晶レンズパネル１１のスペーサ２２−２を介して、サブ画素５５−２のサブ画素Ｒを観察する。
【００６２】
このことから、液晶レンズパネル１１のスペーサ２２−１やスペーサ２２−２が、ＬＣＤ１３に設けられた画素からの光に影響をおよぼすことが考えられる。すなわち、上記したように、観察者が、液晶レンズパネル１１のスペーサ２２−１を介して、サブ画素５５−１のサブ画素Ｒを観察したとき、スペーサ２２−１によりサブ画素Ｒが見えない、サブ画素Ｒからの光が、スペーサ２２−１により屈折してしまうなどの影響が起こり、適切に、観測者にサブ画素５５−１のサブ画素Ｒの光を提供できない可能性がある。
【００６３】
同様に、サブ画素５５−８のサブ画素Ｒからの光も、スペーサ２２−２の影響により、適切に観測者に供給できない可能性がある。また観察者の位置が変わると、スペーサ２２−１やスペーサ２２−２の影響を受ける画素が異なる。このようなことを一因とし、虹状の色むらが発生し、観察者に観察されてしまう可能性がある。
【００６４】
ここでは、液晶レンズパネル１１を例にあげて説明しているが、図４などを参照して説明するように液晶レンズパネル１１の代わりに視差バリアが用いられた場合にも本技術は適用できる。例えば、視差バリアを用いた立体表示の方式には、パララックスバリア方式がある。このパララックスバリア方式により立体画像を観測者に提供する際、そのバリアとして、液晶パネルが用いられる場合がある。
【００６５】
液晶パネルが用いられることで、その液晶パネル内に含まれるスペーサの影響により、上記した場合と同じく、虹上の色むらが発生する可能性がある。よって、そのような色むらが発生する可能性がある場合に、本技術は適用できる。
【００６６】
また、異なる画像を異なる位置から観測している複数の観測者にそれぞれ提供するような多視点の場合に用いられる光学デバイスなど、光をバリアやレンズにより特定の視点に振り分けるようなデバイスに対しても、本技術を適用することができ、本技術を適用することで色むらなどが発生することを防ぐことができる。
【００６７】
また、図示はしていないがＬＣＤ１３にもスペーサは含まれ、ＬＣＤ１３のようなスペーサを含む表示部に対しても、以下に説明する本技術を適用することができる。
【００６８】
また、図１乃至３を参照した説明においては、液晶レンズパネル１１がＬＣＤ１３の観測者側に積層されている例を挙げた説明をしたが、液晶レンズパネル１１がＬＣＤ１３の観測者側ではない方、すなわちバックライト側に積層されている場合に対しても本技術を適用することができる。
【００６９】
このように、スペーサなどの所定の基板間の間に設けられる構造物であり、その構造物を含む素子や装置がＬＣＤ１３などの表示部に積層されることで、表示部からの光に影響を及ぼすことが考えられる。この影響は色むらなどを発生され、その色むらなどが発生する１要因としては、構造物と表示部との距離が離れていることによると考えられる。その一例について図３を参照して説明した。
【００７０】
［画素の配置、バリア、スペーサの関係について］
このようなことについて、さらに図４を参照して説明する。図４Ａは、液晶レンズパネル１１が装着されたＬＣＤ１３を、観察者側から見たときの図である。図中、白丸は、液晶レンズパネル１１に設けられたスペーサを表す。
【００７１】
図４Ａに示したＬＣＤ１３においては、サブ画素Ｒ、サブ画素Ｇ、サブ画素Ｂから１画素が構成される。以下の説明においては、サブ画素の位置を表す記載として、サブ画素１−２といった表記を行う。サブ画素１−２との表記において、“１”は、Ｘ軸方向（図３）における左側から数えたときに、１番目に位置することを示し、“２”は、Ｙ軸方向（図３）における上側から数えたときに、２番目に位置することを示す。例えば、サブ画素１−１は、図４Ａ中、一番左の一番上のサブ画素Ｒを示す。
【００７２】
図４Ａには、画素の配置を示し、図４Ｂには、液晶レンズパネル１１の代わりに視差バリアを用いた場合であり、その視差バリアの開口部の形状を示し、図４Ｃには、開口部からの画素の見え方を示す。なお、液晶レンズパネル１１として説明を続けるが、視差バリアなどのバリア方式に対しても本実施の形態を適用することができるため、図４Ｂでは、視差バリアを例示する。
【００７３】
図４Ａに示した画素の配置は、一番上のサブ画素１−１乃至８−１は、サブ画素Ｒとされ、上から２番目のサブ画素１−２乃至８−２は、サブ画素Ｇとされ、上からら３番目のサブ画素１−３乃至８−３は、サブ画素Ｂとされている。縦方向は、サブ画素Ｒ、サブ画素Ｇ、サブ画素Ｂの配置の繰り返しとされている。
【００７４】
液晶レンズパネル１１のスペーサ２２−１は、サブ画素２−４のサブ画素Ｒとサブ画素３−４のサブ画素Ｒの間に設けられている。スペーサ２２−２は、サブ画素４−４のサブ画素Ｒとサブ画素５−４のサブ画素Ｒの間に設けられている。スペーサ２２−３は、サブ画素６−４のサブ画素Ｒとサブ画素７−４のサブ画素Ｒの間に設けられている。
【００７５】
スペーサ２２−４は、サブ画素１−１０のサブ画素Ｒとサブ画素２−１０のサブ画素Ｒの間に設けられている。スペーサ２２−５は、サブ画素３−１０のサブ画素Ｒとサブ画素４−１０のサブ画素Ｒの間に設けられている。スペーサ２２−６は、サブ画素５−１０のサブ画素Ｒとサブ画素６−１０のサブ画素Ｒの間に設けられている。スペーサ２２−７は、サブ画素７−１０のサブ画素Ｒとサブ画素８−１０のサブ画素Ｒの間に設けられている。
【００７６】
このように、スペーサ２２は、サブ画素Ｒの行に設けられている。スペーサ２２の周りは光抜けが多く、色（白色度）の調整のためにＲＧＢ開口が調整されたりするためにＬＣＤ１３の開口は均一でない場合もあるため、同じ色にスペーサが配置される。しかしながら、このように、同一色にスペーサが配置されると、図３を参照して説明したように、色むらなどの画質劣化が発生してしまう可能性がある。
【００７７】
図４Ｂは、視差バリア１０１の開口部の一例を示す図である。図４Ｂに示した視差バリア１０１は、開口部が直線形状のバリアである。視差バリア１０１の１つの開口部は、２つのサブ画素にまたがる位置で、１サブ画素分の大きさの幅とされている。例えば、サブ画素１−１のサブ画素Ｒとサブ画素２−１のサブ画素Ｒにまたがる大きさとされている。
【００７８】
図４Ａに示したサブ画素の配置を有するＬＣＤ１３上に、図４Ｂに示した視差バリア１０１が重ねられると、図４Ｃに示すように各スリットから画素が見える。図４Ｃを参照するに、視差バリア１０１の開口部から、サブ画素１−１のサブ画素Ｒの半分と、サブ画素２−１のサブ画素Ｒの半分が見えている。その下側に、サブ画素１−２のサブ画素Ｇの半分と、サブ画素２−２のサブ画素Ｇの半分が見えている。さらにその下に、サブ画素１−３のサブ画素Ｂの半分と、サブ画素２−３のサブ画素Ｂの半分が見えている。他の開口部においても同様に、開口されている部分から、配置されているサブ画素が見えるように構成されている。
【００７９】
所定の１視点から見たとき、図４Ｃに示したようなサブ画素からの光が、観測者に提供される。このように、図４Ｂに示した視差バリア１０１には、視差毎の画像のカラーバランスのため、縦方向にサブ画素Ｒ，Ｇ，Ｂといった１画素を構成するサブ画素が、均等になるように開口部（スリット）が設けられている。よって、３次元画像や多視点画像を提供する場合に色バランスが整った状態での画像を提供することができる。
【００８０】
しかしながら、上記したように、色むらなどの画質劣化が発生してしまう可能性があり、そのような画質の劣化は、視差バリア１０１のオンの状態であっても、オフの状態であっても起きる可能性がある。
【００８１】
［スペーサをランダムに設けた場合について］
図５Ａは、スペーサ２２をランダムに設けた場合の一例を示す図である。また図５Ｂは、液晶レンズパネル１１のレンズを擬似的に図示したものである。図５Ａに示した画素の配置は、図４Ａと同じく、サブ画素Ｒが一番上の行に配置され、サブ画素Ｇが２番目の行に配置され、サブ画素Ｂが３番目の行に配置されている。このようなサブ画素Ｒ，Ｇ，Ｂの並びが繰り返されている。
【００８２】
スペーサ２２は、ランダムに配置されているため、例えば、サブ画素１−２のサブ画素Ｇとサブ画素１−３のサブ画素Ｂにまたがる位置、サブ画素１−１０のサブ画素Ｒの右上の位置などに配置されている。
【００８３】
このようにランダムにスペーサ２２を配置することで、画面内にランダムにスペーサ２２が配置されることになり、虹状の色むらの発生を抑えることができる。しかしながら、ランダムにスペーサ２２を配置することは、散布スペーサを散布する場合と同じく、例えば、スペーサ２２が局在化してしまい、均一に配置できない可能性がある。
【００８４】
スペーサ２２が局在化したところと、局在化していないところとでは、光学特性が異なり、画質が劣化してしまう可能性がある。例えば、クロストークが悪化してしまう可能性がある。特に、液晶レンズパネル１１の場合、スペーサ２２が局在化すると、レンズの屈折分布に影響しクロストークが発生しやすくなる。よって、スペーサ２２は、クロストークなどのレンズとしての性能劣化が生じるような位置に配置されないように制御されるのが好ましいと考えられる。
【００８５】
また、図５Ｂに示すように液晶レンズパネル１１が設置された場合、その液晶レンズパネル１１を構成する各レンズの中央に、スペーサ２２が配置されるのが好ましい。図５Ｂに示した液晶レンズパネル１１のレンズ７１−１とレンズ７１−２のそれぞれの中央部分には、ＬＣＤ１３のブラックマトリックスが位置している。
【００８６】
レンズ７１の中央にブラックマトリックスやスペーサ２２などを配置することで、光学特性の劣化を抑えることができる。しかしながら、図５Ａに示したように、スペーサ２２がレンズ７１の中央部分には無い場合、スペーサ２２の影響で、レンズ７１の光学特性が劣化する可能性がある。よって、スペーサ２２は、液晶レンズパネル１１を構成する各レンズの中央部分に配置されるのが好ましいと考えられる。
【００８７】
［第１のスペーサの配置について］
そこで、スペーサ２２が均一に配置され、かつ、同色に配置されないようにすることが、画質の劣化を抑えることができる最適なスペーサ２２の配置であると考えられる。そのようなスペーサ２２の配置の一例を、図６に示す。
【００８８】
図６Ａは、画素とスペーサの配置の関係を示す図である。図６Ａに示した画素の配置は、図４Ａや図５Ａに示した画素の配置と同じである。液晶レンズパネル１１のスペーサ２２−１１は、サブ画素２−４のサブ画素Ｒとサブ画素３−４のサブ画素Ｒの間に設けられている。スペーサ２２−１２は、サブ画素４−５のサブ画素Ｇとサブ画素５−５のサブ画素Ｇの間に設けられている。スペーサ２２−１３は、サブ画素６−３のサブ画素Ｂとサブ画素７−３のサブ画素Ｂの間に設けられている。
【００８９】
スペーサ２２−１４は、サブ画素１−１０のサブ画素Ｒとサブ画素２−１０のサブ画素Ｒの間に設けられている。スペーサ２２−１５は、サブ画素３−１１のサブ画素Ｇとサブ画素４−１１のサブ画素Ｇの間に設けられている。スペーサ２２−１６は、サブ画素５−９のサブ画素Ｂとサブ画素６−９のサブ画素Ｂの間に設けられている。スペーサ２２−１７は、サブ画素７−１０のサブ画素Ｒとサブ画素８−１０のサブ画素Ｒの間に設けられている。
【００９０】
また各スペーサ２２−１１乃至２２−１７は、それぞれ、ブラックマトリックスの部分に配置されている。
【００９１】
図６Ａに示した例では、スペーサ２２−１１乃至２２−１７は、サブ画素Ｒのみでなく、サブ画素Ｇ、サブ画素Ｂのところにも存在する。すなわち、同一色のサブ画素にスペーサ２２が設けられていた図４Ａの場合と異なり、異なる色のサブ画素にスペーサ２２が設けられている。よって、虹状の色むらを防ぐことが可能となる。
【００９２】
また、図６Ａに示した例では、スペーサ２２−１１乃至２２−１７は、ランダムでは無く、規則正しく配置されている。よって、スペーサ２２が局在化することで発生するクロストークなどの画質の劣化を防ぐことが可能となる。
【００９３】
図６Ａに示した例では、横方向（Ｘ軸方向）で、スペーサ２２が直線上に配置されないようにされている。同色のサブ画素は、横方向に配置されているため、横方向で、スペーサ２２を直線上に配置されないようにすることで、特定の色のサブ画素のみにスペーサ２２が配置されてしまうことを防ぐことができる。
【００９４】
また、横方向で隣り合うスペーサ２２同士は、上または下にずらした位置に配置される関係にある。例えば、スペーサ２２−１１と横方向で隣り合うスペーサ２２−１２は、スペーサ２２−１１に対して、縦方向で下側に配置されている。同じく、スペーサ２２−１２と横方向で隣り合うスペーサ２２−１３は、スペーサ２２−１２に対して、縦方向で上側に配置されている。
【００９５】
視差バリアとの関係について説明する。図６Ｂは、視差バリアの一例を示す図である。図６Ｂに示した視差バリア１０１は、図４Ｂに示した視差バリア１０１と同一の視差バリア１０１である。
【００９６】
図６Ａに示したサブ画素の配置を有するＬＣＤ１３上に、図６Ｂに示した視差バリア１０１が重ねられると、図６Ｃに示すように各スリットから画素が見える。図６Ｃを参照するに、視差バリア１０１の開口部から、サブ画素１−１のサブ画素Ｒの半分と、サブ画素２−１のサブ画素Ｒの半分が見えている。その下側に、サブ画素１−２のサブ画素Ｇの半分と、サブ画素２−２のサブ画素Ｇの半分が見えている。さらにその下に、サブ画素１−３のサブ画素Ｂの半分と、サブ画素２−３のサブ画素Ｂの半分が見えている。他の開口部においても同様に、開口されている部分から、配置されているサブ画素が見えるように構成されている。
【００９７】
所定の１視点から見たとき、図６Ｃに示したようなサブ画素からの光が、観測者に提供される。このように、図６Ｂに示した視差バリア１０１には、視差毎の画像のカラーバランスのため、縦方向にサブ画素Ｒ，Ｇ，Ｂといった１画素を構成するサブ画素が、均等になるように開口部（スリット）が設けられている。
【００９８】
再度図６Ｃを参照するに、各スリット内には、スペーサ２２−１４乃至２２−１７がそれぞれある。スペーサ２２−１４乃至２２−１６は、それぞれ上下方向にずらされた位置関係で配置されている。例えば、スペーサ２２−１４に注目すると、他のスペーサ２２−１５乃至２２−１６は、スペーサ２２−１４に対して上または下に配置されている。
【００９９】
このように、スペーサ２２が配置される間隔と同色のサブ画素が配置される間隔（例えば、サブ画素Ｒが配置される間隔）が異なることで、同色のサブ画素の近傍にスペーサ２２が配置されないようにすることができる。
【０１００】
このように、スペーサ２２を規則的に配置することで、局在化しないようにし、画像内で均一に配置されるようにすることで、また、同一色にスペーサ２２が存在しないようにすることで、色むらなどが発生しないようにし、クロストークなどが発生しないように制御することが可能となる。
【０１０１】
図６では、視差バリア１０１を例に挙げたが、液晶レンズパネル１１の場合も、図６Ａに示したスペーサ２２の配置によれば、色むらなどが発生しないようにし、クロストークなどを発生しないように制御することが可能となる。
【０１０２】
ただし、液晶レンズパネル１１の場合、図５を参照して説明したように、液晶レンズパネル１１を構成するレンズの中央部分にスペーサ２２が配置される好ましい。図６Ｂに示した視差バリア１０１のスリットをレンズと仮定すると、例えば、スペーサ２２−１１は、レンズの端の位置に存在する。同じく、スペーサ２２−１２、スペーサ２２−１３も、レンズの端に存在する。このような場合、レンズの端に存在していないスペーサ２２-１４乃至２２−１７で、色が均等になる（ＲＧＢに分散されて配置される）ように、スペーサ２２の配置の位置が制御される。図６Ａにおいては、そのような配置になっている。
【０１０３】
［第２のスペーサの配置について］
次に液晶レンズパネル１１を用いた場合のスペーサ２２の配置について説明する。図７Ａは、図６Ａと同じ画素の配置である。液晶レンズパネル１１のスペーサ２２は、図７Ａに示した例では、ブラックマトリックスに対応する位置上にある。
【０１０４】
液晶レンズパネル１１のスペーサ２２−３１は、サブ画素１−２のサブ画素Ｇとサブ画素２−２のサブ画素Ｇの間に設けられている。スペーサ２２−３２は、サブ画素３−２のサブ画素Ｇとサブ画素４−２のサブ画素Ｇの間に設けられている。スペーサ２２−３３は、サブ画素１−６のサブ画素Ｂとサブ画素２−６のサブ画素Ｂの間に設けられている。スペーサ２２−３４は、サブ画素３−６のサブ画素Ｂとサブ画素４−６のサブ画素Ｂの間に設けられている。
【０１０５】
スペーサ２２−３５は、サブ画素１−１０のサブ画素Ｒとサブ画素２−１０のサブ画素Ｒの間に設けられている。スペーサ２２−３６は、サブ画素３−１０のサブ画素Ｒとサブ画素４−１０のサブ画素Ｒの間に設けられている。
【０１０６】
図７Ａに示した例では、スペーサ２２−３１乃至２２−３６は、サブ画素Ｒ、サブ画素Ｇ、サブ画素Ｂの各色に分散されて存在している。すなわち、同一色のサブ画素にスペーサ２２が設けられていた図４Ａの場合と異なり、異なる色のサブ画素にスペーサ２２が設けられている。よって、虹状の色むらを防ぐことが可能となる。
【０１０７】
また、図７Ａに示した例では、スペーサ２２−３１乃至２２−３６は、ランダムでは無く、規則正しく配置されるように、その配置の位置が制御されている。よって、スペーサ２２が局在化するようなことを防ぎ、光学特性が劣化する部分を分散化することができる。さらに、光学特性が劣化するような位置にスペーサ２２が配置されないように制御されているため、光学特性が劣化すること自体を防ぐことができる。このことから、クロストークなどの画質の劣化を防ぐことが可能となる。
【０１０８】
また、図７Ｂに示すように、液晶レンズパネル１１のレンズが配置されることで、光学特性の劣化を抑えることが可能となる。図７Ｂには、液晶レンズパネル１１のレンズの一部を示した。このレンズ７１−１とレンズ７１−２のそれぞれの中央部分に、ＬＣＤ１３のブラックマトリックスが位置している。さらにこのブラックマトリックスのところに、スペーサ２２−３１乃至２２−３６が配置されている。よって、スペーサ２２−３１乃至２２−３６は、それぞれレンズ７１−１またはレンズ７１−２の中央部分に配置されている。
【０１０９】
このように、レンズ７１の中央部分にスペーサ２２が配置されることで、液晶レンズパネル１１の光学特性の劣化を抑えることが可能となる。
【０１１０】
［第３のスペーサの配置について］
次に液晶レンズパネル１１のスペーサ２２の他の配置について説明する。図８は、図７Ａと同じ画素の配置である。液晶レンズパネル１１のスペーサ２２は、図８に示した例では、ブラックマトリックスに対応する位置上にある。
【０１１１】
液晶レンズパネル１１のスペーサ２２−５１は、サブ画素１−２のサブ画素Ｇとサブ画素２−２のサブ画素Ｇの間に設けられている。スペーサ２２−５２は、サブ画素２−２のサブ画素Ｇとサブ画素３−２のサブ画素Ｇの間に設けられている。スペーサ２２−５３は、サブ画素３−２のサブ画素Ｇとサブ画素４−２のサブ画素Ｇの間に設けられている。
【０１１２】
スペーサ２２−５４は、サブ画素１−７のサブ画素Ｒとサブ画素２−７のサブ画素Ｒの間に設けられている。スペーサ２２−５５は、サブ画素２−７のサブ画素Ｒとサブ画素３−７のサブ画素Ｒの間に設けられている。スペーサ２２−５６は、サブ画素３−７のサブ画素Ｒとサブ画素４−７のサブ画素Ｒの間に設けられている。
【０１１３】
スペーサ２２−５７は、サブ画素１−１２のサブ画素Ｂとサブ画素２−１２のサブ画素Ｂの間に設けられている。スペーサ２２−５８は、サブ画素２−１２のサブ画素Ｂとサブ画素３−１２のサブ画素Ｂの間に設けられている。スペーサ２２−５９は、サブ画素３−１２のサブ画素Ｂとサブ画素４−１２のサブ画素Ｂの間に設けられている。
【０１１４】
図８に示した例では、スペーサ２２−５１乃至２２−５９は、サブ画素Ｒ、サブ画素Ｇ、サブ画素Ｂの各色に分散されて存在している。よって、虹状の色むらを防ぐことが可能となる。また、ＬＣＤ１３のブラックマトリックスのところに、スペーサ２２−５１乃至２２−５６がくるように配置し、そのブラックマトリックスが、液晶レンズパネル１１の各レンズの中央部分にくるように配置することで、液晶レンズパネル１１の光学特性の劣化を抑えることが可能となる。
【０１１５】
また、図８に示した例では、スペーサ２２−５１乃至２２−５６は、ランダムでは無く、規則正しく配置されるように、その配置の位置が制御されている。よって、スペーサ２２が局在化するようなことを防ぎ、光学特性が劣化する部分を分散化することができる。さらに、光学特性が劣化するような位置にスペーサ２２が配置されないように制御されているため、光学特性が劣化すること自体を防ぐことができる。このことから、クロストークなどの画質の劣化を防ぐことが可能となる。
【０１１６】
図８に示した画素の配置は、横方向で見たとき、直線状に配置されるという規則に基づいている。また、縦方向で見たとき、スペーサとスペーサの間に４個のサブ画素を挟むという規則に基づいている。例えば、縦方向に隣り合うスペーサ２２−５１とスペーサ２２−５４の間には、サブ画素１−３のサブ画素Ｂ、サブ画素１−４のサブ画素Ｒ、サブ画素１−５のサブ画素Ｇ、およびサブ画素１−６のサブ画素Ｂという４個のサブ画素が存在する。
【０１１７】
また同様に例えば、縦方向に隣り合うスペーサ２２−５４とスペーサ２２−５７の間には、サブ画素１−８のサブ画素Ｇ、サブ画素１−９のサブ画素Ｂ、サブ画素１−１０のサブ画素Ｒ、およびサブ画素１−１１のサブ画素Ｇという４個のサブ画素が存在する。
【０１１８】
図７Ａに示したスペーサ２２の配置を再度参照する。図７Ａに示したスペーサ２２の配置も、図８に示した画素の配置と同じく、横方向で見たとき、直線状に配置されるという規則に基づいている。また、縦方向で見たとき、スペーサとスペーサの間に３個のサブ画素を挟むという規則に基づいている。例えば、縦方向に隣り合うスペーサ２２−３１とスペーサ２２−３３の間には、サブ画素１−３のサブ画素Ｂ、サブ画素１−４のサブ画素Ｒ、およびサブ画素１−５のサブ画素Ｇという３個のサブ画素が存在する。
【０１１９】
このように、縦方向に見たときに、隣り合うスペーサ２２の間には、所定数のサブ画素が存在するようにすることで、同色のサブ画素だけにスペーサ２２が配置されるようなことを防ぎ、局在化することを防ぐことができる。隣り合うスペーサ２２の間に、何個のサブ画素を配置するかは、以下のように決定される。
【０１２０】
１画素が３個のサブ画素から構成される場合であり、仮に同色のサブ画素にスペーサ２２が配置されるときを考える。例えば、図８において、サブ画素１−２のサブ画素Ｇとその縦方向に隣り合うサブ画素１−５のサブ画素Ｇのところに、スペーサ２２があるとする。この場合、サブ画素１−２のサブ画素Ｇとサブ画素１−５のサブ画素Ｇの間には、サブ画素１−３のサブ画素Ｂとサブ画素１−４のサブ画素Ｒという２個のサブ画素がある。
【０１２１】
このことを換言する。ここで、図８のサブ画素４−２のサブ画素Ｇに示したように、１個のサブ画素の縦方向の大きさをａとする。ここでは、１個のサブ画素の縦方向の大きさをａとして説明を続けるが、サブ画素同士の中心の距離（サブ画素のピッチ）をａとしても良い。このようにａをおいたとき、図７Ａに示した、サブ画素１−２のサブ画素Ｇとサブ画素１−５のサブ画素Ｇの間に２個のサブ画素があるという状況は、サブ画素１−２のサブ画素Ｇとサブ画素１−５のサブ画素Ｇは、３ａだけ離れている状況であるといえる。
【０１２２】
このことから、１画素が３個のサブ画素から構成される場合であり、３ａだけ離れたサブ画素同士は、同色である。すなわち、３ａだけ離れた位置にスペーサ２２を配置するようにすると、同色のサブ画素にスペーサ２２が配置されることになる。６ａや９ａといった３ａの倍数の距離であっても同様である。
【０１２３】
同色のサブ画素にスペーサ２２が配置されないようにするには、１ａ、２ａ、４ａ、５ａ、７ａ・・・といった３ａの倍数以外の値に設定すれば良い。なお、整数値でなくても良い。ここで、再度図８を参照すると、図８において、スペーサ２２−５１とスペーサ２２−５４は、５ａだけ離れており、スペーサ２２−５４とスペーサ２２−５７も、５ａだけ離れている。すなわち図８に示した例は、縦方向で見たとき、スペーサ２２が、５ａだけ離れた位置に配置されるという規則に基づいて配置されている。
【０１２４】
図７Ａを再度参照するに、図７Ａにおいて、スペーサ２２−３１とスペーサ２２−３３は、４ａだけ離れており、スペーサ２２−３３とスペーサ２２−３５も、４ａだけ離れている。すなわち図７Ａに示した例は、縦方向で見たとき、スペーサ２２が、４ａだけ離れた位置に配置されるという規則に基づいて配置されている。
【０１２５】
このように、１画素を構成する色の数の倍数にならない位置にスペーサ２２が配置されることで、画面全体に均一に、かつ同色のサブ画素にスペーサ２２が配置されないように配置することが可能となる。
【０１２６】
なお、この場合、スペーサ２２同士の距離は、１ａ、２ａ、４ａ、５ａ、７ａ・・・といった３ａの倍数以外の値に設定されればよいが、その値は、液晶レンズパネル１１に必要とされる強度や光学特性などに応じて設定される。
【０１２７】
図７Ａや図８においては、サブ画素の大きさは全て同じとして図示してあるが、色によりサブ画素の大きさが異なるように設計されている場合がある。例えば、サブ画素Ｒの大きさがａ、サブ画素Ｇの大きさがｂ、サブ画素Ｂの大きさがｃといったように、それぞれ異なる大きさとされているときがある。
【０１２８】
このようなサブ画素が異形の場合、上記説明において３ａと記載した部分は、（ａ＋ｂ＋ｃ）となる。また、スペーサ２２の配置の間隔は、（ａ＋ｂ＋ｃ）の倍数にならない距離に設定される。例えば、（２ａ＋ｂ＋ｃ）、（ａ＋２ｂ＋ｃ）、（ａ＋ｂ＋２ｃ）、（２ａ＋２ｂ＋ｃ）、（ａ＋２ｂ＋２ｃ）、・・・といった距離に設定される。
【０１２９】
以下の説明においては、サブ画素の大きさは同じであり、その縦方向の長さはａである場合を例にあげて説明を続ける。
【０１３０】
［第４のスペーサの配置について］
このように、サブ画素の大きさに基づいてスペーサ２２の配置の位置を設定する場合、図７Ａや図８に示したように、横方向で見たとき、一列にスペーサ２２が配置されるようにすることができる。この場合、スペーサ２２の配置を開始する位置が同じであるため、各列において同一の位置にスペーサ２２が配置される。
【０１３１】
図９に、横方向で見たとき、一列にスペーサ２２が配置されないようにした場合のスペーサ２２の配置の位置を示す。図９に示したスペーサ２２の配置においては、スペーサ２２の配置を開始する位置が異なるため、各列において異なる位置にスペーサ２２が配置されている。
【０１３２】
図９に示したスペーサ２２の配置においても、スペーサ２２−７１乃至２２−７６は、それぞれブラックマトリックス上に該当する液晶レンズパネル１１内に配置されている。
【０１３３】
液晶レンズパネル１１のスペーサ２２−７１は、サブ画素１−２のサブ画素Ｇとサブ画素２−２のサブ画素Ｇの間に設けられている。スペーサ２２−７２は、サブ画素２−３のサブ画素Ｇとサブ画素３−３のサブ画素Ｂの間に設けられている。スペーサ２２−７３は、サブ画素３−４のサブ画素Ｒとサブ画素４−４のサブ画素Ｒの間に設けられている。
【０１３４】
スペーサ２２−７１、スペーサ２２−７２、スペーサ２２−７３は、縦方向に見たとき、１サブ画素分だけ、ずらされた位置に配置されている。各列においては、スペーサ２２−７１、スペーサ２２−７２、スペーサ２２−７３をそれぞれ先頭とし、５ａ分だけの距離をおいて、スペーサ２２が規則的に配置されている。
【０１３５】
例えば、スペーサ２２−７１の下側には、５ａ分だけ離れたサブ画素１−７のサブ画素Ｒとサブ画素２−７のサブ画素Ｒの間に、スペーサ２２−７４が配置されている。またスペーサ２２−７４の下側には、５ａ分だけ離れたサブ画素１−１２のサブ画素Ｂとサブ画素２−１２のサブ画素Ｂの間に、スペーサ２２−７７が配置されている。他の列においても、同様に、５ａ分の間隔で、スペーサ２２が配置されている。
【０１３６】
図９に示した例でも、スペーサ２２−７１乃至２２−７７は、サブ画素Ｒ、サブ画素Ｇ、サブ画素Ｂの各色に分散されて存在している。よって、虹状の色むらを防ぐことが可能となる。また、ＬＣＤ１３のブラックマトリックスのところに、スペーサ２２−７１乃至２２−７７がくるように配置し、そのブラックマトリックスが、液晶レンズパネル１１の各レンズの中央部分にくるように配置することで、液晶レンズパネル１１の光学特性の劣化を抑えることが可能となる。
【０１３７】
また、図９に示した例では、スペーサ２２−７１乃至２２−７７は、ランダムでは無く、規則正しく配置されている。よって、スペーサ２２が局在化することで発生するクロストークなど画質の劣化を防ぐことが可能となる。
【０１３８】
［第５のスペーサの配置について］
図９に示したスペーサ２２の配置を再度参照する。図９に示したスペーサ２２のうち、スペーサ２２−７１、スペーサ２２−７４、およびスペーサ２２−７７は、縦方向にそれぞれ隣り合って配置されている。このスペーサ２２−７１、スペーサ２２−７４、およびスペーサ２２−７７は、サブ画素Ｇ、サブ画素Ｒ、サブ画素Ｂの位置に配置されている。よって、縦方向で、ＲＧＢに分散されてスペーサ２２が配置されている。
【０１３９】
また例えば、スペーサ２２−７１、スペーサ２２−７２、スペーサ２２−７３は、横方向でそれぞれ近接するスペーサ２２であり、これらのスペーサ２２は、それぞれサブ画素Ｇ、サブ画素Ｂ、サブ画素Ｒの位置に配置されている。よって、横方向でもＲＧＢに分散されてスペーサ２２が配置されている。
【０１４０】
このように、縦方向、横方向の、それぞれの方向において、ＲＧＢに分散されてスペーサ２２が配置されるようにすることは勿論可能であるが、どちらか一方向のみで、ＲＧＢに分散されてスペーサ２２が配置されるようにすることも可能である。なお、隣り合うスペーサ２２が、必ずしも異なる色のサブ画素に配置される必要性はない。図１０にそのような例を示す。
【０１４１】
図１０に示した例においても、図９などと同じ画素の配置である。図１０には、スペーサ２２−１０１乃至２２−１１６を示した。例えば、スペーサ２２−１０１を先頭とする縦方向のスペーサ２２は、６ａまたは７ａの間隔で配置されている。スペーサ２２−１０１より下側に６ａだけ離れた位置にスペーサ２２−１０５が配置され、このスペーサ２２−１０５より下側に７ａだけ離れた位置にスペーサ２２−１０９が配置されている。
【０１４２】
さらに、このスペーサ２２−１０９より下側に６ａだけ離れた位置にスペーサ２２−１１３が配置されている。なお、図示はしていないが、この規則に基づけば、スペーサ２２−１１３より下側に７ａだけ離れた位置に、次のスペーサが設けられる。
【０１４３】
ここに例示したスペーサ２２−１０１、スペーサ２２−１０５、スペーサ２２−１０９、スペーサ２２−１１３は、この順に、サブ画素Ｇ、サブ画素Ｇ、サブ画素Ｂ、サブ画素Ｂの近傍に配置されている。図示していないスペーサを考慮すると、サブ画素Ｒの近傍にも、スペーサは配置されている。
【０１４４】
この配置によると縦方向では、隣接するスペーサ２２同士は同色のサブ画素の近傍に配置されている場合があるが、ＲＧＢに分散されてスペーサ２２は配置されている。
【０１４５】
横方向に近接して配置されている、例えば、スペーサ２２−１０１、スペーサ２２−１０２、スペーサ２２−１０３は、この順に、サブ画素Ｇ、サブ画素Ｂ、サブ画素Ｒの近傍に配置されている。この場合、右斜め下方向に直線的に配置されたスペーサ２２は、ＲＧＢに分散されて配置されている。
【０１４６】
図１０に示した例においても、スペーサ２２−１０１乃至２２−１１６は、縦方向と右斜めした方向において、サブ画素Ｒ、サブ画素Ｇ、サブ画素Ｂの各色に分散されて存在している。よって、虹状の色むらを防ぐことが可能となる。また、ＬＣＤ１３のブラックマトリックスのところに、スペーサ２２−１０１乃至２２−１１６がくるように配置し、そのブラックマトリックスが、液晶レンズパネル１１の各レンズの中央部分にくるように配置することで、液晶レンズパネル１１の光学特性の劣化を抑えることが可能となる。
【０１４７】
また、図１０に示した例では、スペーサ２２−１０１乃至２２−１１６は、ランダムでは無く、規則正しく配置されている。よって、スペーサ２２が局在化することで発生するクロストークなど画質の劣化を防ぐことが可能となる。
【０１４８】
［第６のスペーサの配置について］
例えば、図９に示したスペーサ２２は、縦方向には５ａの間隔を空けて配置されるとして説明した。また、図１０に示したスペーサ２２は、縦方向には、６ａまたは７ａの間隔を空けて配置されるとして説明した。このように、スペーサ２２の配置の間隔は、予め設定されている値であるとして説明した。しかしながら、この間隔に関する値も、一定値ではなく、ランダムに設定される値としても良い。
【０１４９】
図１１を参照して、ランダムにスペーサ２２の配置の間隔が設定される場合について説明する。図１１Ａは、基本となるスペーサ２２の配置を示し、この基本となるスペーサ２２の位置から、ランダムに発生された数値により上または下方向にずらされたスペーサ２２が配置された図を図１１Ｂに示す。
【０１５０】
図１１Ａを参照するに、スペーサ２２−１５１乃至２２−１５６は、それぞれサブ画素Ｇの近傍に配置されている。このような配置から、各スペーサ２２を、縦方向に乱数を発生させ、その発生された値に応じてスペーサ２２の配置の位置がずらされる。
【０１５１】
スペーサ２２−１５１に対して0.5との乱数が発生されると、スペーサ２２−１５１は、0.5だけ下側に移動された位置に配置される。その位置は、図１１Ｂに示したスペーサ２２−１７１の位置である。なおここでは、縦方向の図中下側方向を、プラスであるとし、上側方向をマイナスであるとして説明を続ける。
【０１５２】
同じく、スペーサ２２−１５２に対して-0.3との乱数が発生されると、スペーサ２２−１５２は、0.3だけ上側に移動された位置に配置される。その位置は、図１１Ｂに示したスペーサ２２−１７２の位置である。このように、他のスペーサ２２も、図１１Ａに示した基準となる位置から、発生された乱数分だけずらされた位置に配置される。
【０１５３】
発生される乱数だが、以下に説明するように、所定の範囲内、または所定の範囲外の数値とすることができる。例えば、±1.5、±3.0、±4.5、±6.0などの値の範囲内または範囲外とされる。1.5の倍数を例示したいのは以下の理由からである。
【０１５４】
例えば、図１１Ａを参照するに、サブ画素１−２のサブ画素Ｇから３ａだけ下側には、サブ画素１−５のサブ画素Ｇがある。よって、仮に乱数として３が発生した場合、画素Ｇから画素Ｇに移ることになり、同色のサブ画素にスペーサ２２が移動することになる。よって、３以下であれば、このようなことが発生することを防ぐことができる。
【０１５５】
また、仮にサブ画素１−５のサブ画素Ｇにも基本位置としてスペーサ２２があるとし、このサブ画素Ｇに配置されたスペーサ２２に対して、乱数として-1.5が発生された場合を考える。また、サブ画素１−２のサブ画素Ｇのところにあるスペーサ２２に対して、乱数として1.5が発生されたとする。この場合、サブ画素１−２のサブ画素Ｇから1.5aだけ下側に移動し対置にスペーサ２２が配置され、サブ画素１−５のサブ画素Ｇからも1.5aだけ上側に移動した位置にスペーサ２２が配置されることになる。
【０１５６】
この場合、サブ画素１−２とサブ画素１−５の中間の位置に２つのスペーサ２２が配置されることになる。このようなことが発生しないように、乱数としては、1.5は除外されるのが好ましい。よって、乱数として、1.5以内の数値であれば、このようなことは発生しない。
【０１５７】
また、1.5以上であっても、同一の位置にスペーサ２２が配置されてしまうことを防ぐことができるため、1.5以上であっても良い。1.5以下や3.0以下などの乱数の場合、基本位置から近い位置にスペーサ２２がずらされ、配置される。また、3.0以上の乱数の場合、１画素以上離れた位置にスペーサ２２がずらされ、配置される。
【０１５８】
よって、例えば強度をえるために、比較的多くスペーサ２２を配置したい場合、乱数として発生される値を小さい値にし、基準となるスペーサ２２の位置の数を多めにすることで、スペーサ２２の数を調整することができる。また、スペーサ２２により影響を少なくするために、比較的少ないスペーサ２２を配置したい場合、乱数として発生される値を大きい値にし、基準となるスペーサ２２の位置の数を少なめすることで、スペーサ２２の数を調整することができる。
【０１５９】
スペーサ２２の数は、基準となるスペーサ２２の位置の数と、発生される乱数の範囲を制御することで、調整することができる。
【０１６０】
なお、ここでは、サブ画素の大きさはどの色でも同じであるとし、その縦方向の長さはａであるとして説明をしたが、色によりサブ画素の大きさが異なるように設計されている場合がある。例えば、サブ画素Ｒの大きさがａ、サブ画素Ｇの大きさがｂ、サブ画素Ｂの大きさがｃといったように、それぞれ異なる大きさとされているときがある。
【０１６１】
このようなサブ画素が異形の場合、１画素以上の値に乱数が設定されるようにすれば良い。１画素の長さは、（ａ＋ｂ＋ｃ）となるので、この値以上の値が乱数として発生されるようにすることで、上記した場合と同様に、同色のサブ画素の近傍にスペーサ２２が配置されてしまうことを防ぐことが可能となる。
【０１６２】
なお、ここでは、図１１Ａに示したように、サブ画素Ｇのところがスペーサ２２の配置の基準となる位置として説明したが、勿論、サブ画素Ｒやサブ画素Ｂが、基準となる位置にされていても良い。また、例えば、図８に示したように、サブ画素Ｒ、サブ画素Ｇ、サブ画素Ｂのそれぞれの位置が、基準の位置とされていても良い。この場合、基準となる位置自体が、ＲＧＢに分散されているので発生される乱数としては、±ａといったような値でも良い。
【０１６３】
また、基準となる位置は、１列に１箇所、例えば、開始位置だけを設定しておき、その開始位置から、順次発生される乱数によりスペーサ２２の配置位置が決定されるようにしても良い。すなわち、発生された乱数により開始位置の次に配置されるスペーサ２２の配置位置が決定され、その決定された配置位置の次に配置されるスペーサ２２の配置位置が、同じく乱数が発生されることで決定されるといったように、順次、乱数が発生され、配置位置が決定されるようにしても良い。
【０１６４】
［第７のスペーサの配置について］
次に、液晶レンズパネル１１を用いた場合のスペーサ２２の配置位置について説明する。また、上述した説明においては、ＬＣＤ１３のブラックマトリックスに対応する位置上にスペーサ２２が配置される例を示したが、ブラックマトリックス上にスペーサ２２が配置されることに限定を示すものではない。
【０１６５】
図１２Ａに、ブラックマトリックス上ではなく、画素上にスペーサ２２が配置される例を示す。図１２Ａに示した画素の配置は、１画素が３個のサブ画素で構成されている例を挙げている。すなわち、図１２Ａに示すように、例えば、サブ画素１−１のサブ画素Ｒ、サブ画素２−１のサブ画素Ｇ、およびサブ画素３−１のサブ画素Ｂの３個のサブ画素で、１個の画素が構成される。また図１２Ａに示したサブ画素は、右斜め下方向に同一色が配置されるように、３色のサブ画素が配置されている。
【０１６６】
液晶レンズパネル１１のスペーサ２２−２０１は、サブ画素１−８のサブ画素Ｇ上に位置している。スペーサ２２−２０２は、サブ画素３−２のサブ画素Ｇ上に位置している。スペーサ２２−２０３は、サブ画素１３−２のサブ画素Ｂ上に位置している。スペーサ２２−２０４は、サブ画素８−３のサブ画素Ｂ上に位置している。
【０１６７】
スペーサ２２−２０５は、サブ画素３−４のサブ画素Ｂ上に位置している。スペーサ２２−２０６は、サブ画素１３−４のサブ画素Ｒ上に位置している。スペーサ２２−２０７は、サブ画素８−５のサブ画素Ｒ上に位置している。スペーサ２２−２０８は、サブ画素３−６のサブ画素Ｒ上に位置している。スペーサ２２−２０９は、サブ画素１３−２６のサブ画素Ｇ上に位置している。
【０１６８】
例えば、縦方向に配置されたスペーサ２２−２０２、スペーサ２２−２０５、およびスペーサ２２−２０６は、この順で、サブ画素Ｇ、サブ画素Ｂ，サブ画素Ｒ上に、それぞれ配置されている。このように所定の１視点に供給されるスペーサ２２が配置されているサブ画素は、異なる色のサブ画素となっている。このように、異なる色のサブ画素にスペーサ２２が設けられている。よって、虹状の色むらを防ぐことが可能となる。
【０１６９】
また、図１２Ａに示した例では、スペーサ２２−２０１乃至２２−２０９は、ランダムでは無く、規則正しく配置されている。よって、スペーサ２２が局在化することで発生するクロストークなどの画質の劣化を防ぐことが可能となる。
【０１７０】
また、図１２Ｂに示すように、液晶レンズパネル１１のレンズが配置されることで、光学特性の劣化を抑えることが可能となる。図１２Ｂには、液晶レンズパネル１１のレンズの一部を示した。このレンズ７１−１乃至７１−３のそれぞれの中央部分に、スペーサ２２−２０１乃至２２−２０９が配置されている。このように、レンズ７１の中央部分にスペーサ２２が配置されることで、液晶レンズパネル１１の光学特性の劣化を抑えることが可能となる。
【０１７１】
［第８のスペーサの配置について］
上述してきた実施の形態においては、サブ画素の配置を変えずに、スペーサ２２の位置を適切な位置に変更する場合を例に挙げて説明した。次に、スペーサ２２の位置を変更せずに、サブ画素の配置を変更する場合を例に挙げて説明する。この場合、液晶レンズパネル１１はそのまま用い、ＬＣＤ１３の画素の配置を変更することで対応することができる。
【０１７２】
図１３Ａは、サブ画素の配置を変更する前のサブ画素の配置とスペーサ２２の配置を説明するための図である。図１３Ａは、１画素が３個のサブ画素から構成され、縦方向に１画素を構成する３個のサブ画素が配置されている例である。すなわち図１３Ａに示した画素の配置は、一番上のサブ画素１−１乃至４−１は、サブ画素Ｒとされ、上から２番目のサブ画素１−２乃至４−２は、サブ画素Ｇとされ、上からら３番目のサブ画素１−３乃至４−３は、サブ画素Ｂとされている。縦方向は、サブ画素Ｒ、サブ画素Ｇ、サブ画素Ｂの配置の繰り返しとされている。
【０１７３】
スペーサ２２−３０１乃至２２−３０８は、それぞれサブ画素Ｒの位置に配置されている。スペーサ２２−３０１は、サブ画素２−１のサブ画素Ｒの位置に配置され、スペーサ２２−３０２は、サブ画素４−１のサブ画素Ｒの位置に配置されている。また、スペーサ２２−３０３は、サブ画素１−４のサブ画素Ｒの位置に配置され、スペーサ２２−３０４は、サブ画素３−４のサブ画素Ｒの位置に配置されている。
【０１７４】
スペーサ２２−３０５は、サブ画素２−７のサブ画素Ｒの位置に配置され、スペーサ２２−３０６は、サブ画素４−７のサブ画素Ｒの位置に配置されている。また、スペーサ２２−３０７は、サブ画素１−１０のサブ画素Ｒの位置に配置され、スペーサ２２−３０８は、サブ画素３−１０のサブ画素Ｒの位置に配置されている。
【０１７５】
このように、同色、この場合、赤色のサブ画素Ｒの位置にのみに、液晶レンズパネル１１のスペーサ２２が配置されると、虹状の色ムラが発生する可能性がある。そこで、液晶レンズパネル１１のスペーサ２２の位置は変更せずに、図１３Ｂに示すようなサブ画素の配置とすることで、ＲＧＢにスペーサ２２が分散されるようにする。
【０１７６】
図１３Ｂを参照するに、サブ画素は、縦方向および横方向の両方で、サブ画素Ｒ、サブ画素Ｇ、サブ画素Ｂの繰り返しとされている。例えば、サブ画素１−１のサブ画素Ｂ、その横方向で隣接するサブ画素２−１のサブ画素Ｇ、さらに隣接するサブ画素３−１のサブ画素Ｒというように、横方向に、Ｒ、Ｇ、Ｂが繰り返される。
【０１７７】
また、例えば、サブ画素１−１のサブ画素Ｂ、その縦方向で隣接するサブ画素１−２のサブ画素Ｒ、さらに隣接するサブ画素１−３のサブ画素Ｇというように、縦方向に、Ｒ、Ｇ、Ｂが繰り返される。
【０１７８】
このような配置によると、同色のサブ画素は、右斜め下方向に直線的に配置されるようになる。すなわち例えば、サブ画素Ｂに注目すると、サブ画素１−１、サブ画素２−２、サブ画素３−３、サブ画素４−４といったように、右斜め下方向に直線的に配置されている。他の色のサブ画素も同様に、右斜め下方向に直線的に配置されている。
【０１７９】
このような配置にすることで、スペーサ２２は、ＲＧＢに分散されて配置されるようになる。スペーサ２２−３０１は、サブ画素Ｇ上に位置し、スペーサ２２−３０２は、サブ画素Ｂ上に位置し、スペーサ２２−３０３は、サブ画素Ｂ上に位置し、スペーサ２２−３０４は、サブ画素Ｒ上に位置している。
【０１８０】
また、スペーサ２２−３０５は、サブ画素Ｇ上に位置し、スペーサ２２−３０６は、サブ画素Ｂ上に位置し、スペーサ２２−３０７は、サブ画素Ｂ上に位置し、スペーサ２２−３０８は、サブ画素Ｒ上に位置している。
【０１８１】
このように、スペーサ２２は、サブ画素Ｒ、サブ画素Ｇ、サブ画素Ｂ上に、それぞれ配置されるようになる。よって、虹状の色むらを防ぐことが可能となる。また、図１３Ｂに示した例では、スペーサ２２−３０１乃至２２−３０８は、ランダムでは無く、規則正しく配置されている。よって、スペーサ２２が局在化することで発生するクロストークなどの画質の劣化を防ぐことが可能となる。
【０１８２】
［表示装置の適用について］
上記したＬＣＤ１３やＬＣＤ１３に積層される液晶レンズパネル１１または視差バリア１０１は、フラットパネル形状を有し、様々な電子機器、例えば、デジタルカメラ、ノート型パーソナルコンピュータ、携帯電話、ビデオカメラなどに適用可能である。電子機器に入力された、若しくは、電子機器内で生成した駆動信号を画像若しくは映像として表示するあらゆる分野の電子機器のディスプレイに適用することが可能である。以下このような表示装置が適用された電子機器の例を示す。電子機器は基本的に情報を処理する本体と、本体に入力する情報若しくは本体から出力された情報を表示する表示器とを含む。
【０１８３】
図１４は本技術が適用されたテレビジョン受像機であり、フロントパネル１１１２、フィルターガラス１１１３等から構成される映像表示画面１１１１を含み、本技術の表示装置を、その映像表示画面１１１１に用いることにより製造される。ＬＣＤ１３やＬＣＤ１３に積層される液晶レンズパネル１１または視差バリア１０１で構成される映像表示画面１１１１により、例えば、３Ｄ画像がユーザに提供される。
【０１８４】
また本技術は、ノート型パーソナルコンピュータにも適用できる。ノート型パーソナルコンピュータの本体には、文字等を入力するとき操作されるキーボードが含まれ、本体カバーには画像を表示する表示部が含まれ、本技術の表示装置を、その表示部に用いることによりノート型パーソナルコンピュータは製造される。ＬＣＤ１３やＬＣＤ１３に積層される液晶レンズパネル１１または視差バリア１０１で構成される表示部により、例えば、３Ｄ画像がユーザに提供される。
【０１８５】
また本技術は、携帯端末装置にも適用できる。携帯端末装置は、上側筐体、下側筐体、連結部（例えば、ヒンジ部）、ディスプレイ、サブディスプレイ、ピクチャーライト、カメラ等を含む。本技術の表示装置を、そのディスプレイやサブディスプレイに用いることにより携帯端末装置は製造される。ＬＣＤ１３やＬＣＤ１３に積層される液晶レンズパネル１１または視差バリア１０１で構成されるディスプレイやサブディスプレイにより、例えば、３Ｄ画像がユーザに提供される。
【０１８６】
また本技術は、ビデオカメラに適用できる。ビデオカメラは、本体部、前方を向いた側面に被写体撮影用のレンズ、撮影時のスタート／ストップスイッチ、モニター等を含み、本技術の表示装置を、そのモニターに用いることにより製造される。ＬＣＤ１３やＬＣＤ１３に積層される液晶レンズパネル１１または視差バリア１０１で構成されるモニターにより、例えば、３Ｄ画像がユーザに提供される。
【０１８７】
上記した実施の形態においては、ＬＣＤ１３やＬＣＤ１３に積層される液晶レンズパネル１１または視差バリア１０１を例に挙げて説明した。しかしながら、本技術は、ＬＣＤ１３やＬＣＤ１３に積層される液晶レンズパネル１１または視差バリア１０１などから構成される表示装置に適用が限定されることを意味するわけではない。例えば、本技術は、有機ＥＬなどの他の表示装置にも適用できる。また、視野角を異ならせる画面が見えるマルチ画面表示ディスプレイなどにも本技術を適用することができる。
【０１８８】
なお、本技術の実施の形態は、上述した実施の形態に限定されるものではなく、本技術の要旨を逸脱しない範囲において種々の変更が可能である。
【０１８９】
なお、本技術は以下のような構成も取ることができる。
【０１９０】
（１）
複数の画素を有する表示部と、
光学装置とを備え、
前記光学装置は、
第１の基板、第２の基板、および前記第１の基板と前記第２の基板との間に、所定の間隔を確保するための構造物を備え、
前記画素は、第１の方向に並ぶサ複数の異なる色のサブ画素から構成され、
前記第１の方向における前記構造物が配置される間隔は、前記画素の配置される間隔とは異なる
表示装置。
（２）
前記構造物は、前記表示部のブラックマトリックスに対応する位置に作成されている
前記（１）に記載の表示装置。
（３）
上下方向または左右方向の少なくとも一方向において、前記構造物は、異なる色の前記サブ画素の近傍に分散されて配置されている
前記（１）または前記（２）に記載の表示装置。
（４）
上下方向または左右方向に隣り合う構造物は、隣り合う方向において、ずらされて配置されている
前記（１）または前記（２）に記載の表示装置。
（５）
上下方向または左右方向に隣り合う構造物は、隣り合う方向において、所定のサブ画素数分だけ離れた位置に配置されている
前記（１）または前記（２）に記載の表示装置。
（６）
上下方向または左右方向に隣り合う構造物は、隣り合う方向において、前記画素同士の間隔を基準とした所定の倍数分だけ離れた位置に配置されている
前記（１）または前記（２）に記載の表示装置。
（７）
上下方向または左右方向に隣り合う構造物は、隣り合う方向において、前記画素同士の間隔を基準とし、発生される乱数分だけ離れた位置に配置されている
前記（１）または前記（２）に記載の表示装置。
（８）
前記構造物は、前記表示部からの光線の通過状態を選択的に変化させるレンズ部の中央部分に配置されている
前記（１）乃至（７）のいずれかに記載の表示装置。
（９）
隣り合う前記構造物が配置されている位置が異なる色のサブ画素になるように、前記サブ画素が配置されている
前記（１）に記載の表示装置。
（１０）
複数の画素を有する表示部と、
光学装置とを備え、
前記光学装置は、
第１の基板、第２の基板、および前記第１の基板と前記第２の基板との間に、所定の間隔を確保するための構造物を備え、
前記画素は、第１の方向に並ぶサ複数の異なる色のサブ画素から構成され、
前記第１の方向における前記構造物が配置される間隔は、前記画素の配置される間隔とは異なる
電子装置。
【符号の説明】
【０１９１】
１１  液晶レンズパネル，２４  第１の基板，  ２５  配向膜，  ２６  第１の電極群，  ２７  第２の基板，  ２８  配向膜，  ２９  第２の電極群，  １０１  視差バリア
【図１】
0005865149.tif 000002
【図２】
0005865149.tif 000003
【図３】
0005865149.tif 000004
【図４】
0005865149.tif 000005
【図５】
0005865149.tif 000006
【図６】
0005865149.tif 000007
【図７】
0005865149.tif 000008
【図８】
0005865149.tif 000009
【図９】
0005865149.tif 000010
【図１０】
0005865149.tif 000011
【図１１】
0005865149.tif 000012
【図１２】
0005865149.tif 000013
【図１３】
0005865149.tif 000014
【図１４】
0005865149.tif 000015